(57)【特許請求の範囲】
【請求項１】
ナットをはめ付けるためのねじ部を有するとともに、
互いに対向する２面がねじ部の軸心と直交していて当該２面間に被取付け部材を圧入できるかみ込み溝が形成されていること、
および、かみ込み溝より先端側の端部が、外周縁から中心部に向けて徐々に厚さの増大する凸状の曲面に形成されていること
を特徴とするボルト。
【請求項２】
かみ込み溝の幅が、被取付け部材の厚さに一致していることを特徴とする請求項１に記載のボルト。
【請求項３】
ナットをはめ付けるためのねじ部を有するとともに、互いに対向する２面がねじ部の軸心と直交していて当該２面間に被取付け部材を圧入できるかみ込み溝が形成されており、
かみ込み溝における対向する２面の少なくとも一方に、テーパ付きライナを挿入可能なテーパ面が形成されていることを特徴とするボルト。
【請求項４】
管の壁面に設けられた開口を塞ぐための開口閉塞用具であって、
ナットをはめ付けるためのねじ部を有するとともに、互いに対向する２面がねじ部の軸心と直交していて当該２面間に被取付け部材を圧入できるかみ込み溝が形成されているボルトと、
上記の管に対して同心の曲面を内側に有するとともにボルトの挿通口を有する蓋と、上記開口の周囲において管と蓋との間に装着される環状パッキンと、蓋から外に出るボルトの外周にはめるボルト用パッキンと、ボルトのねじ部にはめ付けるナットと
を有することを特徴とする開口閉塞用具。
【請求項５】
上記ボルトにおけるかみ込み溝より先端側の端部が、外周縁から中心部に向けて徐々に厚さの増大する凸状の曲面に形成されていることを特徴とする請求項４に記載の開口閉塞用具。
【請求項６】
上記のボルト用パッキンが、上記ナットの締結時に上記ボルトのねじ部に密着するものであることを特徴とする請求項４または５に記載の開口閉塞用具。
【請求項７】
上記のナットが袋ナットであることを特徴とする請求項４〜６のいずれかに記載の開口閉塞用具。
【請求項８】
上記の蓋は、上記環状パッキンを介して管に取り付けられたときその蓋の内面が管壁の内側面に対して段差のない位置にくるよう、開口の内側に位置する部分が上記環状パッキンとの接触面を含む部分よりも厚く形成されたものであることを特徴とする請求項４〜７のいずれかに記載の開口閉塞用具。
【請求項９】
上記の蓋が、ボルトの挿通口のほかにその面を貫通する穴を有し、その穴から外側に管または管用の継ぎ手を有することを特徴とする請求項４〜８のいずれかに記載の開口閉塞用具。
【請求項１０】
ナットをはめ付けるためのねじ部を有するとともに、互いに対向する２面がねじ部の軸心と直交していて当該２面間に被取付け部材を圧入できるかみ込み溝が形成されているボルトを、被取付け部材の縁部にかみ込み溝をかみ込ませることにより仮止め状態にしたうえ、
ボルトの挿通口を有する板状体を、上記ボルトをその挿通口に通すことによって被取付け部材に掛け止めた状態とし、
上記板状体の表面に出たボルトのねじ部にナットをはめて締め付ける
ことを特徴とする板状体の取付け方法。  
【発明の詳細な説明】
【技術分野】
【０００１】
請求項に係る発明は、開口部を外側から閉塞するためのボルトおよびそのボルトを含む開口閉塞用具、ならびに、そのボルトを用いて行う板状体の取付け方法に関するものである。
【背景技術】
【０００２】
一般に、集合住宅などの排水管には、取り外し（または開閉）可能に接続したメンテナンス用の接続部が設けられていて、排水が詰まったときなどにその接続部を開けて管の内部を清掃できるようになっている。
【０００３】
ところが、詰まった箇所が接続部から遠かったり、接続部に近い住戸が留守であったりした場合には、接続部を利用することができない。そのような場合、従来は適当な箇所で排水管を数十ｃｍにわたり切断して詰まりを取り除き、後に切断箇所に新たに管（短管）を溶接（または接着、フランジ接続）などで継ぎ足していた。
【０００４】
管を切断せずに、管の壁面にホルソー等の機械で穴（開口）をあけたうえ内部を清掃することも考えられるが、清掃後にうまく蓋を取り付ける手段がなく、穴に蓋を当ててバンドで締め付けるか、溶接または接着剤にて蓋を固定するしかなかった。
【０００５】
なお、下記の特許文献１には、一方の側からパネルを取り付けることのできるフックボルト（一端部がＬ字状に曲がってフックとなったボルト）が示されている。
【特許文献１】特開平９−２０９４７９号公報
【発明の開示】
【発明が解決しようとする課題】
【０００６】
一部を切断して後に管を継ぎ足す作業は、溶接、接着、フランジ接続など、いずれもたいへん手間がかかるものであった。溶接機を使用しがたい場合があることや、既設の建物の配管スペースという狭い場所で行わなければならないこと等も、継ぎ足し作業を困難なものにしていた。
【０００７】
一方、管に穴を開けた場合、蓋の取付け手段としてバンドを用いるのは、外観上好ましくない。また、溶接や接着などにより蓋を固定してしまうと、その蓋を再び開けることは不可能である。一度詰まった箇所は再度詰まることが多いため、蓋が取り外せないのは都合が悪い。
【０００８】
特許文献１に記載されたフックボルトを利用すれば蓋を開閉可能に取り付けることができるが、それを利用するにしても、管の穴を塞ぐことに関しては以下のような理由により蓋の取付け作業が容易でない。
1)  ボルトを管に固定する手段がないため、手でボルトを支持しながら蓋をしたりナットを回したりしなければならない。それだけでもやりにくい作業であるうえに、水漏れを防止できるよう蓋を確実に固定する必要があり、複数のボルトとパッキンとを用いて各ボルトによるパッキンの締め付け力が均一になるよう注意する必要もある。ボルトが不安定な状態でこのような作業を行うことは容易でない。
2)  フックの向きが適切でないと蓋を安定して固定させることができないが、パネルの場合とは異なり、管の内側に位置するフックの向きを目視によりチェックすることは不可能である。
3)  上記のように支持するボルト等をもし誤って管内に落とすと、落ちたボルトが排水管の詰まりを引き起こす恐れがある。
【０００９】
このように、メンテナンス用の接続部以外に開口を設けて行う排水管の内部清掃作業は清掃後の処理にきわめて手間のかかるものであった。
【００１０】
発明の目的は、管の開口などに外側から蓋などを取り付ける作業を容易にするボルトを提供することである。また併せて、管の開口を塞ぐための開口閉塞用具、および、種々の被取付け部材に種々の板状体を容易に取り付けるための方法を提供することである。
【課題を解決するための手段】
【００１１】
請求項１に記載のボルトは、ナットをはめ付けるためのねじ部を有するとともに、互いに対向する２面がねじ部の軸心と直交（ほぼ直交している場合を含む）していて当該２面間に被取付け部材を圧入できるかみ込み溝が形成されていること、および、かみ込み溝より先端側（ねじ部のある端とは反対側）の端部が、外周縁から中心部に向けて徐々に厚さの増大する凸状の曲面に形成されていることを特徴とする。
ここでいうかみ込み溝は、被取付け部材の縁部（たとえば管や壁にあけた開口の縁、建物の壁や屋根用パネルの取付け枠の縁など）にかみ込ませる部分をいう。
【００１２】
このボルトは、それが有する上記のかみ込み溝を被取付け部材の縁部にかみ込ませる（つまり、かみ込み溝を構成する対向２面間に被取付け部材を圧入して固定する）ことにより、被取付け部材に対して容易に仮止めすることができる。仮止めしたのちは、そのボルトに板状体（蓋やパネルなど。ボルトの挿通口を有するもの）を取り付けたり、ボルトのねじ部にナットをはめ付けたりする作業を、ボルトを手などで支持することなく容易に行える。かみ込ませた状態がしっかりとしたものなら、ナットをはめ付ける間にボルトの位置や向き（溝の向き）がずれてしまう恐れもない。したがって、管や壁、屋根などにボルトを用いて板状体を取り付ける作業を、板状体の一方の側のみから容易に行うことができるうえ、ボルトを誤って落とすことも防止できるようになる。
また、かみ込み溝より先端側の端部が上記のような凸状の曲面に形成されたこのボルトによれば、ボルトを被取付け部材に固定したときに、ボルトの先端と被取付け部材との間に極端な段差ができなくなる。たとえば排水管の穴を塞ぐ蓋を固定するためにこのボルトが用いられた場合、排水管の内面とボルトの先端との間には明確な段差がなくなるか、または段差が小さくなる。したがって管内の排水の流れを妨げにくく、かつ排水とともに流れる物が引っ掛かりにくくなる効果がある。また、屋根や壁用のパネルの取り付けなどにこの請求項のボルトが用いられた場合にも、物が引っ掛かりにくい、上記端部の側での外観が良好である、といったメリットがもたらされる。
【００１３】
請求項２に記載のボルトは、とくに、かみ込み溝の幅（対向する上記２面の間隔。ボルトの軸方向に沿った寸法）が、被取付け部材の厚さに一致している（締めしろ分だけやや幅が小さい場合をも含む）ことを特徴とする。
このようなボルトは、力をかけて押し込んだり軽くたたいたりすることにより、かみ込み溝を被取付け部材の縁部にかみ込ませることができ、たとえばライナ等を用いなくても安定した状態でボルトを被取付け部材に仮止めすることができる。被取付け部材の厚さが事前に知られていない場合には、かみ込み溝の幅が種々の寸法に設定された複数のボルトを用意しておき、試してみたうえで、被取付け部材の厚さに合う溝幅をもつものを採用すればよい。厚さに合う幅のものがない場合には、かみ込み溝の幅がやや大きいボルトを採用し、かみ込み溝と被取付け部材との間に生じる隙間にライナを挿入することによって使用する。
【００１４】
これに関連して、請求項３に記載のボルトのように、ねじ部やかみ込み溝を有するほか、かみ込み溝における対向する２面の少なくとも一方に、テーパ付きライナを挿入可能なテーパ面が形成されていると好ましい。
かみ込み溝をこのように形成することにより、被取付け部材とかみ込み溝との隙間にライナを挿入しやすくなるからである。ライナを用いれば、被取付け部材として多数種類の厚さのものがある場合にも、少ない種類の（つまり、かみ込み溝の幅の寸法が異なる僅かの種類の）ボルトを用意しておくだけで、適切な対応が可能になる。この請求項のボルトのようにテーパ面があるなら、ライナの挿入が容易であるほか、ライナの厚さの種類も少なくて足りる。
【００１６】
請求項４に記載の開口閉塞用具は、管の壁面に設けられた開口を塞ぐための開口閉塞用具であって、ナットをはめ付けるためのねじ部を有するとともに、互いに対向する２面がねじ部の軸心と直交していて当該２面間に被取付け部材を圧入できるかみ込み溝が形成されているボルトと、上記の管に対して同心の曲面を内側に有するとともにボルトの挿通口を有する蓋と、上記開口の周囲において管と蓋との間に装着される環状パッキンと、蓋から外に出るボルトの外周にはめるボルト用パッキンと、ボルトのねじ部にはめ付けるナットとを有することを特徴とする。
このような開口閉塞用具を用いれば、管の壁面に設けられた開口を、内部の水などが漏れ出ないように蓋で塞ぐ作業を容易に行うことができる。上記のボルトを開口の縁に仮止めしたうえ、そのボルトに蓋の挿通口を合わせて環状パッキンおよび蓋を取り付け、蓋から外に出る各ボルトにボルト用パッキンとナットとをはめ付けることによって、閉塞作業を完了できるからである。管と蓋、および蓋とナットの間にそれぞれパッキンをはさむので、管の内部を流れる流体が漏れ出ることを防止できる。しかも、再びナットを緩めることによって蓋を外すことも可能なので、同じ開口を清掃作業等のために何度も利用することができる。
なお、管の壁面に設けた開口を容易に塞ぐことができるなら、排水管の内部を清掃する作業は、全体として簡単に、かつ短時間内に行うことが可能になる。
請求項５の開口閉塞用具は、とくに、上記ボルトにおけるかみ込み溝より先端側の端部が、外周縁から中心部に向けて徐々に厚さの増大する凸状の曲面に形成されていることを特徴とする。
このようなボルトを含む開口閉塞用具を使用するなら、管の内面とボルトの先端との間には明確な段差がなくなるか、または段差が小さくなるため、管内の水などの流れを妨げにくく、また流れる物が引っ掛かりにくくなる。
【００１７】
請求項６に記載の開口閉塞用具は、上記のボルト用パッキンが、上記ナットの締結時に上記ボルトのねじ部に密着する（たとえば内側寄りに膨らんでねじ部に密着する）ものであることを特徴とする。
このようなパッキンを用いることにより、管内の流体が蓋の挿通口とねじ部との隙間を通って漏れ出ることを効果的に防止できる。
【００１８】
請求項７に記載の開口閉塞用具は、上記のナットが袋ナットであることを特徴とする。
袋ナットを用いることにより、管の外部においてねじ部が完全に覆われるので、管内の流体が万一ねじ部を伝わってきたとしても、それ以上外部に漏れ出ることが避けられる。
【００１９】
請求項８に記載の開口閉塞用具は、上記の蓋が、上記環状パッキンを介して管に取り付けられたときその蓋の内面が管壁の内側面に対して段差のない位置にくるよう、開口の内側に位置する部分が上記環状パッキンとの接触面を含む部分よりも厚く形成されたものであることを特徴とする。
このような蓋を含む閉塞用具を使用すれば、その蓋の内面が管壁の内側面に対して段差のない位置にくるため、管の内側にできがちな凹凸が小さい（または無い）状態となる。したがって、管内を通る流体がスムーズに流れるうえ、その流体中に混入された固形物等が開口付近（蓋等を取り付けた部分）に引っ掛かって詰まること等が防止されることになる。
【００２０】
請求項９に記載の開口閉塞用具は、上記の蓋が、ボルトの挿通口のほかにその面を貫通する穴を有し、その穴から外側に管または管用の継ぎ手を有することを特徴とする。
このような開口閉塞用具を使用すれば、管に開口を設けて管を清掃したのちに、その開口を蓋にて容易に閉塞できるとともに、その開口を利用して元の管に新たに分岐管（または合流管）を接続することが可能である。しかも、そうして接続したのちは、その分岐点（合流点）において、上記のボルトを外すなどして分岐（合流）を解き、管内の清掃等を行うことも容易になる。
【００２１】
請求項１０に記載の板状体の取付け方法は、
1)  ナットをはめ付けるためのねじ部を有するとともに、互いに対向する２面がねじ部の軸心と直交していて当該２面間に被取付け部材を圧入できるかみ込み溝が形成されているボルトを、被取付け部材の縁部にかみ込み溝をかみ込ませる（つまり圧入して固定する）ことにより仮止め状態にしたうえ、
2)  ボルトの挿通口を有する板状体を、上記ボルトをその挿通口に通すことによって被取付け部材に掛け止めた状態とし、
3)  上記板状体の表面に出たボルトのねじ部にナットをはめて締め付ける
ことを特徴とする。  
【００２２】
このような板状体の取付け方法によれば、種々の被取付け部材（管の壁、または建物の壁や屋根におけるパネルの取付け枠等）に対し、同部材における一方の側のみから、板状体（管の開口を塞ぐ蓋、または建物の壁や屋根に取り付けるパネル等）を取り外し可能な状態に容易に取り付けることができる。上記のボルトを、かみ込み溝を利用して被取付け部材に容易に仮止めできるほか、仮止めしたのちは、ボルトを手などで支持していなくても板状体の取り付けやナットのはめ付けを行うことができ、ボルトの位置や向きが不適切にずれたりボルトが誤って落下したりする恐れもないからである。
【発明の効果】
【００２３】
請求項１に記載したボルトは、被取付け部材の縁部に仮止めできるので、被取付け部材における一方の側（作業者のいる側）のみからの作業により、板状体等の取付けを容易に行える。先端側の端部がなめらかなので、異物が引っ掛かりにくく、または外観が好ましい、といった利点もある。
請求項２に記載のボルトなら、手間をかけずに確実に被取付け部材に仮止めすることができる。
請求項３に記載のボルトなら、かみ込み溝にライナを挿入して使用することが容易であるうえ、用意しておくボルト等の寸法の種類が少なくてよいのでコストを低下できる。
【００２４】
請求項４に記載した開口閉塞用具によれば、管に開けた開口を、開閉可能な蓋によって内部の水などが漏れ出ないように塞ぐ作業を、容易に行うことができる。
請求項５の開口閉塞用具を使用するなら、管内の水などの流れを妨げにくく、また流れる物が引っ掛かりにくくなる。
請求項６および７に記載の開口閉塞用具なら、とくに良好な密封性が得られる。
請求項８に記載の開口閉塞用具を使用すれば、管内の流体の流れがスムーズになるとともに、その流体中の異物が開口付近に引っ掛かかること等が防止される。
請求項９の開口閉塞用具によれば、開口を容易に閉塞できるとともに、その開口を利用して管に新たに分岐管（または合流管）を接続することが可能である。
【００２５】
請求項１０に記載した板状体の取付け方法によれば、種々の被取付け部材に対し、同部材における一方の側のみから、取り外し可能な状態に容易に板状体を取り付けることが可能である。
【発明を実施するための最良の形態】
【００２６】
発明の実施形態を図面に基づき説明する。
まず、図１（ａ）〜（ｃ）に一実施例としてのボルト１を示す。図２（ａ）には、開口閉塞用具１０を用いて排水管５の壁面の開口６を塞いだ状態を示し、同（ｂ）にそのｂ−ｂ断面図を示す。また図３には、図２（ａ）におけるIII−III断面図を示す。
【００２７】
図１のボルト１には、ねじ部３を設けているほか、ねじ部３の端がある側とは反対側の先端部付近（図１（ａ）における左側）に、ボルト１の軸方向に直交する向きに対向２面を形成したかみ込み溝２を設けている。かみ込み溝２に隣接する部分（ボルト１の先端側）には、半径方向に突出するように爪部４を形成してもいる。
【００２８】
かみ込み溝２の対向する２面２ａ・２ｂは互いに平行で、その間隔（かみ込み溝２の幅）Ｗは、排水管５（図２）の開口６にかみ込ませて仮止めできるよう、排水管５の厚さＴに一致させている（締めしろ分だけやや小さくするのもよい）。
【００２９】
爪部４は、かみ込み溝２の先端側の面２ａに沿って、半径方向（図１（ａ）における上方）に延長させて一体に形成している。すなわち、ねじ部３の側に向いた面４ａは、かみ込み溝２の先端側の面２ａと同一平面にある。爪部４をボルト１の側方から見た形状は、図１（ｃ）に示す側面図のように長円形とし、その周縁部から中央部（ボルト１の先端）に向けて徐々に面４ａ（２ａ）からの厚みを増大させ、なめらかな曲面にしている（図１（ａ）・（ｂ）を参照）。
【００３０】
図２・図３に示すように、開口閉塞用具（のセット）１０は、排水管５の側面に開けた開口６を外側から塞ぐためのもので、上記したボルト１のほか、環状パッキン１２、蓋１３、ボルト用パッキン１４、座金１５、ナット１６からなる。
【００３１】
蓋１３は、開口６に被せて排水管５の外周面に密着させるもので、内側面を管５と同心の曲面とし、外径は開口６よりも大きくしている。蓋１３の直線部（管５の長手方向に沿う部分）の両端付近には、ボルト１のねじ部３を通すための挿通口１３ｃを１個ずつ設けている。蓋１３の厚さについては、開口６の周囲において排水管５に重ねられる周縁部１３ａと、開口６の内側に収まる中央部１３ｂとで異なるようにし、前者に比べて後者を厚くしている（図３を参照）。これは、蓋１３を取り付けたときに排水管５の内部に段差が生じない（または小さくなる）ようにし、排水中の固形物が引っ掛かるのを防止するためである。
【００３２】
環状パッキン１２とボルト用パッキン１４は、いずれもゴム製で、排水管５と蓋１３との間、および蓋１３と座金１５との間にそれぞれ配置して、水漏れを防止する。とくに、ボルト用パッキン１４は、ナット１６で蓋１３を締め付けたときにねじ部３にパッキン１４が密着して良好な防水性が得られるよう、内径をボルト１の太さに一致させるか、またはやや小さくしている。
【００３３】
座金１５は、ナット１６の締付け力を効果的に蓋１３に作用させるため、図４に示すように、蓋１３の外側面に沿う曲面に形成している。ただし、図５の蓋２３のように、外側面において挿通口２３ｃの周囲に平面状の座ぐり１７を設けた場合には、平板な座金１８を使用することができる。
【００３４】
ナット１６としては図２（ｂ）や図５のように袋ナットを用い、排水管５の外部でねじ部３が露出しないようにするのが好ましい。そうすれば外観上好ましいほか、万一排水がねじ部３を伝わったとしても、排水管５の外部に漏れることが防止される。
【００３５】
つぎに、開口閉塞用具１０を用いて排水管５の開口６を塞ぐ方法について、図６（ａ）・（ｂ）に基づき説明する。
排水管５の側面の開口６の上下に、２個のボルト１のかみ込み溝２をそれぞれかみ込ませることにより、ねじ部３を外側に向けて各ボルト１を仮止めする。かみ込み溝の幅（Ｗ）を排水管５の厚さ（Ｔ）に一致させているので、上下の各ボルト１は、支持手段がなくても自然には落下することがなくなる。この状態で、環状パッキン１２を上下のボルト１の外側に掛け、蓋１３の挿通口１３ｃにボルト１のねじ部３を通して開口６に蓋１３を当てる。ねじ部３にボルト用パッキン１４と座金１５をこの順に通し、最後にナット１６をはめて締め付ける。
このように、ボルト１を開口６の縁に仮止めできることから、排水管５の外側のみから容易に蓋１３を取り付けることができる。蓋１３は、ボルト１とナット１６とによって固定するので、必要に応じて取り外したうえ開口６を再度利用することも可能である。
【００３６】
一般に、排水管のうち、Ｔジョイント（Ｔ型継手）やＹジョイントの部分には、棒状の固形物などが引っ掛かって詰まりやすい。そのため、図７に示すように、それらのジョイント部３５に開口を設け、それを上記のような開口閉塞用具１０にて塞ぐことも有意義である。
【００３７】
また、開口に蓋をするばかりでなく、図８に示す開口閉塞用具２０のように、蓋３３に穴３６を設け、その穴３６に分岐管３７を接続することも可能である。
【００３８】
また、ボルトについて、図９〜図１１のような実施形態をとることも考えられる。
図９に示すボルト１１は、かみ込み溝２２を構成する対向面のうちねじ部３寄りの面２２ｂをテーパ面（外向きに開いた傾斜面）に加工したものである。排水管５の厚さよりもかみ込み溝２２の幅が大きい場合、図示のように隙間にライナ３８を挿入することが容易である。挿入するライナ３８の枚数を適宜に増減させれば、複数の厚さの排水管に対して単一寸法のボルト１１を適用することもできる。
【００３９】
図１０に示すボルト２１は、図１のボルト１と同様にねじ部３とかみ込み溝２２とを有するものであるが、ボルトの外周よりも半径方向外側へ突出する形の爪部を有してはいない例である。かみ込み溝２２に隣接する部分に、その溝２２との相対的な関係で爪状になった部分２４が存在し（したがって互いに対向する２面を有し）、もって被取付け部材にかみ込み溝２２をかみ込ませてボルトを仮止めすることが可能である。
【００４０】
また図１１のボルト３１は、かみ込み溝３２があるとはいえ、その溝３２の底部がボルトの外周とほぼ同一または外周よりも外側に位置する例である。溝３２は、そのような底部の位置関係からは一般的な意味での「溝」と呼びにくいが、半径方向に突出した爪３４および３４ａがその前後に存在するために、互いに対向する２面を有していて、被取付け部材をかみ込み得るかみ込み溝として機能する。
【００４１】
以上の例ではボルトを排水管に適用する例を説明したが、発明のボルトは、建築物の壁面や屋根にパネルを取り付ける際などにも使用できる。図１２に示すように、建屋のＨ型鋼４０のフランジ部分４０ａにボルト１のかみ込み溝２を圧入してはめ付ければよい。これによってボルト１がフランジ部分４０ａに仮止めされるので、ボルト１の挿通口４１ｃを有するパネル４１を、ボルト１に通したりナット４２を締め付けたりして、Ｈ形鋼４０に対し、外側のみから容易に取り付けることができる。
そのほか、パイプ状の柱などに平坦な板類を取り付ける際にも、発明のボルトを使用することができる。たとえば図１３は、円形断面の中空パイプであるポール５’に、電力計などのメータの固定用パネル１３’を取り付けた状態を示している。同図（ａ）に示すように、パイプ５’の側面２箇所に穴６’をあけておき、図１等に示したボルト１（またはボルト１１・２１・３１）のかみ込み溝をその穴６’の縁部にかみ込ませてそのボルト１をポール５’に仮止めし、そうしたボルト１を利用して（ナット等も同時に使用して）パネル１３’を取り付ける（そしてそのパネル１３’にメータを固定する）。なお、ポール５’に設ける穴６’は、爪の部分を含めてボルト１を通せるだけの径をもつもので足り、その穴６’にねじを形成するには及ばない。こうしてパネル１３’をポール５’に取り付けると、取付け状態が安定するほか、同図（ｂ）のとおりパネル１３’やポール５’の後ろ側に何らの突出物も見苦しい物も存在しない。この点は、従来のようにポール５’にバンド１９’を巻き付けることによりパネル１３’を取り付けていた場合（図１３（ｃ））に比べて、外観等の点で大いに好ましい。
【図面の簡単な説明】
【００４２】
【図１】図１（ａ）は、発明によるボルト１の実施形態を示す正面図であり、同（ｂ）はその平面図、同（ｃ）はその左側面図である。
【図２】図２（ａ）は、開口閉塞用具１０を用いて排水管５の側面の開口６を塞いだ状態を示す正面図で、同（ｂ）は、同（ａ）におけるｂ−ｂ断面図である。
【図３】図２（ａ）におけるIII−III断面図を示す。
【図４】図４（ａ）は、曲面に形成した座金１５の正面図であり、同（ｂ）は、その平面図である。
【図５】座ぐり１７を設けた蓋２３等を示す断面図である。
【図６】図６（ａ）は、開口閉塞用具１０の組立用斜視図であり、同（ｂ）は、ボルト１のかみ込み状態を示す拡大斜視図である。
【図７】ジョイント部３５に閉塞用具１０を取り付けた状態を示す側面図である。
【図８】分岐管３７を備えた閉塞用具２０を取り付けた状態を示す側面図である。
【図９】発明の別の実施形態であるボルト１１等を示す正面図である。
【図１０】発明の他の実施形態であるボルト２１の正面図である。
【図１１】発明のさらに他の実施形態であるボルト３１の正面図である。
【図１２】ボルト１を、建築物に使用した場合の実施形態を示す説明図である。
【図１３】図１３（ａ）・（ｂ）は、ボルト１を、ポール５’に対するメータ固定用パネル１３’の取付けに使用した場合の実施形態を示す斜視図である。なお同（ｃ）は、メータ固定用パネル１３’の従来の取付け形態を示す図である。
【符号の説明】
【００４３】
１・１１・２１・３１  ボルト
２・２２・３２  かみ込み溝
３  ねじ部
４・３４  爪部
５  排水管
６  開口
１０・２０  開口閉塞用具
１２  環状パッキン
１３・２３・３３  蓋
１３ｃ・２３ｃ  挿通口
１４  ボルト用パッキン
１５・１８  座金
１６  ナット
１７  座ぐり
３６  穴
３８  ライナ
４１  パネル
【要約】
【課題】  たとえば排水管の開口に、外側から蓋などを取り付ける作業を容易に行えるようにするボルト等を提供する。
【解決手段】  ボルト１は、ナットをはめ付けるためのねじ部３と、互いに対向する２面２ａ・２ｂがねじ部３の軸心と直交していて当該２面間に被取付け部材を圧入できるかみ込み溝２とを有する。排水管５の開口６にかみ込み溝２をかみ込ませることによりボルト１の仮止めをする。ボルト１の挿通口１３ｃを有する蓋１３等を、仮止めしたボルト１に通すことによって開口６を塞ぎ、ナット１６で締め付ける。こうすることにより、排水管５の外側から開口６を容易に塞ぐことができる。
【選択図】      図１
【図１】
0003714943.tif 000002
【図２】
0003714943.tif 000003
【図３】
0003714943.tif 000004
【図４】
0003714943.tif 000005
【図５】
0003714943.tif 000006
【図６】
0003714943.tif 000007
【図７】
0003714943.tif 000008
【図８】
0003714943.tif 000009
【図９】
0003714943.tif 000010
【図１０】
0003714943.tif 000011
【図１１】
0003714943.tif 000012
【図１２】
0003714943.tif 000013
【図１３】
0003714943.tif 000014